(57)【要約】【課題】軽量気泡コンクリートコーナーパネル（ＡＬＣコーナーパネル）の製造において、型枠内に配置された補強用鉄筋を従来よりも高い安定性の下で固定して、これにより、ＡＬＣコーナーパネルの品質を更に向上させることを目的とする。【解決手段】軽量気泡コンクリートコーナーパネル用の補強用鉄筋２を硬化用の型枠内に設置する際に、補強用鉄筋２を型枠内の所定位置に固定するために用いるセットピン１を、条材からなる軸部材１１と、軸部材１１の軸方向に対して垂直な一方向に向けて突起する態様で形成されている浮き止め爪１２１及び沈み止め爪１２２とからなる１対の挟持用部材１２と、前記一方向と反対方向に向けて突起する態様で形成されている１つの補助浮き止め爪１３と、を有するセットピン１とする。【選択図】図２
2017121752.tif 000002
【特許請求の範囲】
【請求項１】
軽量気泡コンクリートコーナーパネル用の補強用鉄筋を硬化用の型枠内に設置する際に、前記補強用鉄筋を前記型枠内の所定位置に固定するために用いるセットピンであって、
条材からなる軸部材と、該軸部材の軸方向に対して垂直な一方向に向けて突起する態様で形成されている浮き止め爪及び沈み止め爪とからなる１対の挟持用部材と、前記一方向と反対方向に向けて突起する態様で形成されている１つの補助浮き止め爪と、を有するセットピン。
【請求項２】
請求項１に記載のセットピンを用いて、前記１対の挟持用部材によって、複数の主筋を挟持し、前記補助浮き止め爪を、いずれかの主筋又は横筋に干渉させた状態で、軽量気泡コンクリートコーナーパネル用の補強用鉄筋を前記型枠内に固定し、該型枠にＡＬＣスラリーを注入し乾燥して半可塑性体を得る工程を行うＡＬＣコーナーパネルの製造方法。
【発明の詳細な説明】
【技術分野】
【０００１】
本発明は、軽量気泡コンクリートコーナーパネル（ＡＬＣコーナーパネル）の製造方法に関する。
【背景技術】
【０００２】
軽量気泡コンクリート（ＡＬＣ）は、通常のコンクリートよりも軽量であると同時に、耐火性、断熱性、施工性に優れている。このような特性を有する軽量気泡コンクリートパネル（ＡＬＣパネル）は、建築材料として建築物の壁、屋根、床等に広く使用されている。
【０００３】
例えば、図５に示すように、建築物において、ＡＬＣパネル２００によってコーナー部を含む壁構造４００を躯体３００上に構成する際、その隅部においては、軽量気泡コンクリートからなり断面Ｌ字形状のブロック体であるＡＬＣコーナーパネル１００を配置して、コーナー部を含む壁構造４００を構成することが一般的に行われている。
【０００４】
一般的に、ＡＬＣコーナーパネルの製造は、Ｌ字状の副筋と格子状に配設される直線状の主筋とからなる補強用鉄筋（図４参照）を型枠内に設置した後、ＡＬＣスラリーを同型枠内に注入して得た半可塑性体３を、所定サイズに切り出し、更に高温高圧で養生後、製品毎に所定のサイズ及び形状に加工することにより行われる。
【０００５】
ＡＬＣコーナーパネルの製造においては、通常、図４に示すように、補強用鉄筋２１、２２、２３は、型枠内に、上下方向に複数重ねられて配置される。最終製品の表面に補強用鉄筋２１、２２、２３の一部が露出して不良品となることを回避するためには、型枠内に配置された補強用鉄筋２１、２２、２３が結合されてなる補強用鉄筋（ブロック体）２の一部が、ＡＬＣスラリーの硬化中に、型枠内で不要に移動しないように安定的に固定されていることが必要である。ところが、ＡＬＣコーナーパネルの補強用鉄筋を安定的に固定することは構造上甚だ困難であり、この問題を解決するために、補強用鉄筋の複数の主筋を挟む２つの爪を有するセットピンで補強用鉄筋を固定することにより、型枠内での補強鉄筋の不要な移動を防止する方法が提案されている（特許文献１、特に図１０等参照）。
【先行技術文献】
【特許文献】
【０００６】
【特許文献１】特開２０００−１４１３５０号公報
【発明の概要】
【発明が解決しようとする課題】
【０００７】
特許文献１に記載のセットピンによれば、単純な構造の単一種類のセットピンにより、補強用鉄筋を固定することができる。しかしながら、これらのセットピンのように、条材の片側のみに鉄筋を挟持するための爪部分を有する構造のセットピンでは、補強用鉄筋の固定の安定性について、尚、不十分であり、改善の余地があった。例えば、図３Ａに示すように、軸部材１１の片側に補強用鉄筋の浮き止め爪１２１と沈み止め爪１２２とを有する構造からなる従来構造のセットピン１Ｂで補強用鉄筋（ブロック体）２を固定した場合においては、図３Ｂに示すように、型枠内のＡＬＣスラリー中で、補強用鉄筋（ブロック体）２の全体が斜めに傾いてしまい、主筋２１１ａが浮き止め爪１２１に掛からなくなり、補強用鉄筋（ブロック体）２が浮き上がってしまうという現象を十分に防ぐことができていなかった。
【０００８】
本発明は、ＡＬＣコーナーパネルの製造において、型枠内に配置された補強用鉄筋を従来よりも高い安定性の下で固定して、これにより、ＡＬＣコーナーパネルの品質を更に向上させることを目的とする。
【課題を解決するための手段】
【０００９】
本発明者は、補強用鉄筋の固定用セットピンを、その軸部材の片側に鉄筋の浮き止めと沈み止めを１対有し、更にその反対側に浮き止め１を１ケ有する構造とすることで、上記課題を解決し得ることを見出し、本発明を完成するに至った。具体的には、本発明は以下のものを提供する。
【００１０】
（１）  軽量気泡コンクリートコーナーパネル用の補強用鉄筋を硬化用の型枠内に設置する際に、前記補強用鉄筋を前記型枠内の所定位置に固定するために用いるセットピンであって、条材からなる軸部材と、該軸部材の軸方向に対して垂直な一方向に向けて突起する態様で形成されている浮き止め爪及び沈み止め爪とからなる１対の挟持用部材と、前記一方向と反対方向に向けて突起する態様で形成されている１つの補助浮き止め爪と、を有するセットピン。
【００１１】
（１）の発明によれば、従来公知の形状のセットピン等、その他の固定手段によっては、尚、十分な安定性を得ることが困難であった、軽量気泡コンクリートコーナーパネルの硬化用の型枠内での、補強用鉄筋の配置位置での固定を、十分な安定性の下で行うことができる。
【００１２】
（２）  （１）に記載のセットピンを用いて、前記１対の挟持用部材によって、複数の主筋を挟持し、前記補助浮き止め爪を、いずれかの主筋又は横筋に干渉させた状態で、軽量気泡コンクリートコーナーパネル用の補強用鉄筋を前記型枠内に固定し、該型枠にＡＬＣスラリーを注入し乾燥して半可塑性体を得る工程を行うＡＬＣコーナーパネルの製造方法。
【００１３】
（２）の発明によれば、（１）の発明の上記効果を享受して、ＡＬＣコーナーパネルの品質向上に寄与することができる。
【発明の効果】
【００１４】
本発明によれば、ＡＬＣコーナーパネルの製造において、型枠内に配置された補強用鉄筋を従来よりも高い安定性の下で固定して、これにより、ＡＬＣコーナーパネルの品質を更に向上させることができる。
【図面の簡単な説明】
【００１５】
【図１】本発明のセットピンの正面図である。
【図２】本発明のセットピンによるコーナーパネル用の補強用鉄筋の固定の態様を示す正面図である。
【図３Ａ】従来公知のセットピンによるコーナーパネル用の補強用鉄筋の固定の態様を示す正面図である。
【図３Ｂ】従来公知のセットピンによるコーナーパネル用の補強用鉄筋の固定態様の正面図であり、従来構造の問題点の説明に供する図面である。
【図４】本発明のセットピンを用いて、軽量気泡コンクリートコーナーパネル用の補強用鉄筋を型枠内に固定した状態を示す斜視図である。
【図５】本発明の製造方法によって製造された軽量気泡コンクリートコーナーパネルを用いてなる建物の壁構造の一例を示す斜視図である。
【発明を実施するための形態】
【００１６】
以下、本発明のセットピンと、それを用いた軽量気泡コンクリートコーナーパネルの製造方法の実施形態について説明する。但し、本発明は、以下の実施形態に限定されるものではない。
【００１７】
＜軽量気泡コンクリートコーナーパネルの製造方法＞
本発明の軽量気泡コンクリートコーナーパネル（ＡＬＣコーナーパネル）の製造方法は、従来公知のセットピンに代えて、本願発明に係る独自形状からなるセットピンを用いることによって、型枠内に配置するＡＬＣコーナーパネル用の補強用鉄筋の型枠内での固定の安定性を、従来よりも顕著に向上させた点に特徴がある。この製造方法は、例えば、特許文献１に記載のＡＬＣコーナーパネルの製造方法も含め、従来公知の製造方法にも広く適用可能な製造方法である。
【００１８】
本発明の製造方法においては、先ず、箱状の型枠に、図４に示すような補強用鉄筋２１、２２、２３が３段に連結されてなる補強用鉄筋（ブロック体）２を、例えば、２本１組のセットピン１によりセットする。補強用鉄筋２１、２２、２３は、図２及び図４に示すように、直径３ｍｍ〜６ｍｍ程度の鉄筋を、中央から直角に折り曲げた横筋（２１２、２２２、２３２）の、各々の一方の辺に、同じく直径３ｍｍ〜６ｍｍ程度の直線状の２本の主筋（２１１ａ、２１１ｂ、２２１ａ、２２１ｂ、２３１ａ、２３１ｂ）を溶接し、各々の他方の辺に同じ長さの２本の主筋（２１１ｃ、２１１ｄ、２２１ｃ、２２１ｄ、２３１ｃ、２３１ｄ）を溶接したものである。尚、各段の補強用鉄筋２１、２２、２３の水平な主筋を、複数の連結用鉄筋２０で連結することが好ましい。尚、本明細書において単に「補強用鉄筋」という場合には、図４に示す、個々の補強用鉄筋２１、２２、２３及び、それらが連結されてなる補強用鉄筋（ブロック体）２のいずれをも含むもののことを言うものとする。
【００１９】
このようにして型枠内に補強用鉄筋（ブロック体）２が高い安定性の下で固定された後、ＡＬＣスラリーが同型枠内に注入される。所望時間経過後、ＡＬＣスラリーが半可塑性状態に硬化した段階で、セットピン１の突出部分を切除、或いは９０°程度軸改定することにより、セットピン１から半可塑性体を開放して、型枠から取り出し、切断装置のピアノ線で次工程に投入するために適切な所定サイズに分断する。
【００２０】
この後、オートクレーブ養生、更なる切断、そして、断面Ｌ字条の角柱形状とするための面取り加工等を経て、ＡＬＣコーナーパネル１００（図５参照）を得ることができる。
【００２１】
＜補強用鉄筋固定用のセットピン＞
図１及び図２に示す通り、本発明のセットピン１は、軸部材１１に、その軸方向に対して垂直な一方向に向けて突起する態様で形成されている１対の挟持用部材１２と、挟持用部材１２と反対方向に向けて突起する態様で形成されている１つの補助浮き止め爪１３とが形成されている。挟持用部材１２は、浮き止め爪１２１と、浮き止め爪１２１と所定の間隔をおいて対向する位置に、浮き止め爪１２１と同一方向に向けて突起する態様で形成されている沈み止め爪１２２と、を一対とする構成として形成されている。上記の「所定の間隔」は、挟持する対象である補強用鉄筋の主筋の配置によって決定される。例えば、図２に示すように、補強用鉄筋（ブロック体）２の主筋２１１ａと主筋２２１ａを挟持可能な配置であればよい。
【００２２】
軸部材１１は鉄筋等の各種の条材を用いて形成することができる。この条材としては、直径８ｍｍ〜１２ｍｍ程度の円形若しくは短径が８ｍｍ程度の楕円形の断面形状を有する円柱若しくは楕円柱棒状の鉄筋を好ましく用いることができる。軸部材１１の端部には、使用時に型枠の上部にわたすピンブリッジに懸架するための懸垂用頭部１４を設けられていることが好ましい。
【００２３】
挟持用部材１２を構成する浮き止め爪１２１と沈み止め爪１２２も、軸部材１１と同様の鉄等の金属からなるものであることが好ましい。挟持用部材１２を構成する浮き止め爪１２１と、沈み止め爪１２２の、最も一般的な形状を図１、図２及び図４に示したが、図２に示すように、補強用鉄筋の主筋（例えば主筋２１１ａと主筋２２１ａ）を挟持可能な形状であればこれに限定されるものではない。但し、これらを挟持するときに各補強用鉄筋と直接接触する挟持面となる部分については、軸部材１１の軸回転によって挟持した補強用鉄筋を開放することができるようにするために、表面が平滑な平面形状であることが好ましい。補助浮き止め爪１３の材料と形状についても同様である。
【００２４】
尚、セットピン１は上記の通り１対の挟持用部材１２と１つの補助浮き止め爪１３とが形成されている部分を１ユニットとして、それらが軸方向に多数連結されている複数ユニットの連結体であってもよい。上記単一ユニットを軸方向に複数連結してなるセットピンも本発明の範囲内である。
【００２５】
ここで、図３Ａに示す従来構造のセットピンを用いた場合には、図３Ｂに示すような態様での浮き上がり、即ち、補強用鉄筋２の全体が斜めに傾いてしまい、主筋２１１ａが浮き止め爪１２１に係合しなくなり、この状態でＡＬＣスラリーが発泡した場合の補強用鉄筋２の浮き上がりを十分に防ぐことができなかった。
【００２６】
しかしながら、図２に示すように、１対の挟持用部材１２と、更に、補助浮き止め爪１３とを有する本願発明に係るセットピン１を用いることにより、主筋２２１ａが浮き止め爪１２１に、主筋２２１ａが沈み止め爪１２２に係合することで、補強用鉄筋（ブロック体）２の浮きと沈みを防止でき、更に、主筋２１１ｃが補助浮き止め爪１３に干渉していることにより、補強用鉄筋（ブロック体）２が、図３Ｂに示すように斜めに傾いてしまうことを防止し、補強用鉄筋（ブロック体）２のあらゆる態様での浮き沈みを防いで、補強用鉄筋（ブロック体）２を、ＡＬＣスラリーが注入された型枠内の所定の位置に安定的に固定することができる。
【００２７】
尚、ＡＬＣスラリーが型枠内で半可塑性体３となった後、セットピン１を９０°軸方向回りに回転することにより、挟持用部材１２及び補助浮き止め爪１３は補強用鉄筋２と干渉しなくなり、セットピンは容易に引き上げることができる。
【００２８】
以上より、本発明によれば、ＡＬＣコーナーパネルの製造において、型枠内に配置された補強用鉄筋を、従来方法よりも、高い安定性の下で所望の位置に固定して、これにより、ＡＬＣコーナーパネルの品質を更に向上させることができることが分かる。
【符号の説明】
【００２９】
１                        セットピン
１１                      軸部材
１２                      挟持用部材
１２１                    浮き止め爪
１２２                    沈み止め爪
１３                      補助浮き止め爪
１４                      懸垂用頭部
２                        補強用鉄筋（ブロック体）
２１、２２、２３          補強用鉄筋
２１１、２２１、２３１    主筋
２１２、２２２、２３２    横筋
２０                      連結用鉄筋
３                  半可塑性体
１００              軽量気泡コンクリートコーナーパネル
２００              軽量気泡コンクリートパネル
３００              躯体
４００              コーナー部を含む壁構造
【図１】
2017121752.tif 000003
【図２】
2017121752.tif 000004
【図３Ａ】
2017121752.tif 000005
【図３Ｂ】
2017121752.tif 000006
【図４】
2017121752.tif 000007
【図５】
2017121752.tif 000008